(57)【要約】【課題】ゴルファーのズボンやスカートの後ろ側のポケットまたはサイドポケットに挿入可能で、ゴルフ手袋の手のひら側を身体に装着しゴルフ手袋の手の甲側を見せることが可能なゴルフ手袋保持具を提供する。【解決手段】被服に設けられたポケット或いはベルトに着脱自在に取り付け可能な挟持部材と、該挟持部材に固定された平板状の第１の磁石２と、ゴルフ手袋２０の手の甲側の面ファスナーに取り付け可能な面ファスナーが片面または両面に取り付けられた平板状の第２の磁石１０とから構成される。第１の磁石２がポケット或いはベルトに取り付けられ、第２の磁石１０がゴルフ手袋２０の手の甲側に面ファスナーにより取り付けられ、第１の磁石２と第２の磁石１０が引き合うことにより、ゴルフ手袋を被服に設けられたポケット或いはベルトに保持できる。【選択図】図４
2013052000.tif 000002
【特許請求の範囲】
【請求項１】
被服に設けられたポケット或いはベルトに着脱自在に取り付け可能な挟持部材と、該挟持部材に固定された平板状の第１の磁石と、
ゴルフ手袋の手の甲側の面ファスナーに取り付け可能な面ファスナーが片面に取り付けられた平板状の第２の磁石と、
から構成され、
前記第１の磁石がポケット或いはベルトに取り付けられ、
前記第２の磁石がゴルフ手袋の手の甲側に面ファスナーにより取り付けられ、
前記第１の磁石と前記第２の磁石が引き合うことにより、ゴルフ手袋を被服に設けられたポケット或いはベルトに保持できることを特徴とするゴルフ手袋保持具。
【請求項２】
被服に設けられたポケット或いはベルトに着脱自在に取り付け可能な挟持部材と、該挟持部材に固定された平板状の第１の磁石と、
ゴルフ手袋の手の甲側の面ファスナーに取り付け可能な面ファスナーが両面に取り付けられた平板状の第２の磁石と、
から構成され、
前記第１の磁石がポケット或いはベルトに取り付けられ、
前記第２の磁石がゴルフ手袋の手の甲側に面ファスナーにより取り付けられ、
前記第１の磁石と前記第２の磁石が引き合うことにより、ゴルフ手袋を被服に設けられたポケット或いはベルトに保持できることを特徴とするゴルフ手袋保持具。
【請求項３】
被服に設けられたポケット或いはベルトに着脱自在に取り付け可能な挟持部材と、該挟持部材に固定された平板状の第１の磁石と、
ゴルフ手袋の手の甲側の面ファスナーと手袋本体との間隙に挿し込み可能な少なくとも１本の挿し込み部を有する平板状の第２の磁石と、
から構成され、
前記第１の磁石がポケット或いはベルトに取り付けられ、
前記第２の磁石がゴルフ手袋の手の甲側に取り付けられ、
前記第１の磁石と前記第２の磁石が引き合うことにより、ゴルフ手袋を被服に設けられたポケット或いはベルトに保持できることを特徴とするゴルフ手袋保持具。
【請求項４】
被服に設けられたポケット或いはベルトに着脱自在に取り付け可能な挟持部材と、該挟持部材に固定された平板状の第１の磁石と、
ゴルフ手袋の手の甲側の面ファスナーの裏面に予め埋め込まれた平板状の第２の磁石と、
から構成され、
前記第１の磁石がポケット或いはベルトに取り付けられ、
前記第１の磁石と前記第２の磁石が引き合うことにより、ゴルフ手袋を被服に設けられたポケット或いはベルトに保持できることを特徴とするゴルフ手袋保持具。
【請求項５】
前記挟持部材は、長さが異なる又は同じ細長い板状の金属もしくは硬質性樹脂を重ね合わせた板バネであり、一方の板バネに前記第１の磁石が固定されたことを特徴とする請求項１〜４の何れかに記載のゴルフ手袋保持具。
【請求項６】
前記挟持部材は、２枚のプレートをつがいで留めたものであり、一方のプレートに前記第１の磁石が固定されたことを特徴とする請求項１〜４の何れかに記載のゴルフ手袋保持具。
【請求項７】
前記第１の磁石には、シルク印刷を含む装飾が施されたことを特徴とする請求項１〜４の何れかに記載のゴルフ手袋保持具。
【請求項８】
前記プレートの一方には、シルク印刷を含む装飾が施されたことを特徴とする請求項１〜４の何れかに記載のゴルフ手袋保持具。
【請求項９】
前記第１の磁石には、広告表示片が設けられたことを特徴とする請求項１〜４の何れかに記載のゴルフ手袋保持具。
【請求項１０】
前記プレートの一方には、広告表示片が設けられたことを特徴とする請求項１〜４の何れかに記載のゴルフ手袋保持具。
【請求項１１】
前記第１の磁石および第２の磁石は、ネオジム磁石であることを特徴とする請求項１〜４の何れかに記載のゴルフ手袋保持具。
【発明の詳細な説明】
【技術分野】
【０００１】
本発明は、ゴルフ手袋の保持具に関するものである。
【背景技術】
【０００２】
ゴルフ競技を行う際、通常、ゴルフ手袋を片手にはめて行う。ゴルフ競技中、特にパットを行う際はパット時の微妙な手のひらの感覚を重視するために、ゴルフ手袋を手から一旦外して行う。また、片手だけが日焼けするのを回避するために、意識的にゴルフ手袋を外す場合もある。
ゴルフ手袋を外した際、殆どの場合、ゴルフ手袋はズボンやスカートの後ろ側のポケットまたはサイドポケットに押し込んでいる。
【０００３】
また、プロのゴルフ競技においては、スポンサー等のロゴが表示された広告表示片が競技者の上着の胸ポケットや腕、帽子の鍔などに取り付けられている。これらの広告表示片は、ギャラリーから見やすく、また、テレビ中継などでゴルファーの姿が放映されることで広告宣伝としての効果が得られるものである。
しかし、ゴルファーの後ろ姿には、広告表示が殆どないのが実情である。すなわち、ゴルファーのズボンやスカートの後ろ側のポケット部分には、広告表示片が付されていない。この後ろ側の部分は、新たな広告表示片を設けるスペースとして活用できる余地が残されている。
【０００４】
一方、以前から、ゴルフ手袋に金属ゴルフマーカーの吸着用磁石が取り付けられた構造が知られている（特許文献１）。これはゴルフ手袋の手の甲に、磁石を固定的に取り付けて、金属ゴルフマーカーを着脱自在に取り付けるものである。
【先行技術文献】
【特許文献】
【０００５】
【特許文献１】実開平成４−１１０６４号公報
【発明の概要】
【発明が解決しようとする課題】
【０００６】
上述したように、ゴルファーの後ろ姿には、広告表示が殆どないのが実情である。すなわち、ゴルファーのズボンやスカートの後ろ側のポケット部分には、広告表示片が付されていない。
また、ゴルフ手袋の手の甲側には、メーカーのロゴが付されている。ゴルフ手袋を取り外す場面では、ゴルフ手袋の手のひら側を身体に装着し、ゴルフ手袋の手の甲側を見せることにより、ゴルフ手袋メーカーの広告表示にできる。
【０００７】
上記状況に鑑みて、本発明は、ゴルファーのズボンやスカートの後ろ側のポケットまたはサイドポケットに挿入可能で、ゴルフ手袋の手のひら側を身体に装着しゴルフ手袋の手の甲側を見せることが可能なゴルフ手袋保持具を提供することを目的とする。
【課題を解決するための手段】
【０００８】
上記目的を達成すべく、本発明の第１の観点のゴルフ手袋保持具は、被服に設けられたポケット或いはベルトに着脱自在に取り付け可能な挟持部材と、該挟持部材に固定された平板状の第１の磁石と、ゴルフ手袋の手の甲側の面ファスナーに取り付け可能な面ファスナーが片面に取り付けられた平板状の第２の磁石と、から構成され、第１の磁石がポケット或いはベルトに取り付けられ、第２の磁石がゴルフ手袋の手の甲側に面ファスナーにより取り付けられ、第１の磁石と第２の磁石が引き合うことにより、ゴルフ手袋を被服に設けられたポケット或いはベルトに保持できることを特徴とする。
【０００９】
ここで、上記の挟持部材とは、クリップで被服のポケットに係止できるようなもので、例えば、細長い板状の金属もしくは硬質性樹脂をＵ字状に折り曲げたものや、長さが異なる又は同じ細長い板状の金属もしくは硬質性樹脂を重ね合わせた板バネである。平板状の第１の磁石は、この板バネの一方に固定される。
第１の磁石の形状は、円形、楕円形、多角形、その他自由な形状が可能である。例えば、スポンサー等の会社のハウスマークや商品のペットマークなどロゴの形状でもよい。あるいは、蝶々など動物や花など植物をモチーフとした形状でもよい。
挟持部材をズボンやスカートの後ろポケットに取り付ける場合、第１の磁石の形状の制限は特にないが、大きさはポケットの大きさの１／２程度以内に収まる程度が望ましい。また、挟持部材をズボンやスカートのサイドポケットに取り付ける場合、第１の磁石の形状は円形または楕円形とし、大きさは後ろポケットに取り付ける場合よりもコンパクトにする。
【００１０】
一方、第２の磁石の形状は、円形または楕円形であることが好ましい。第２の磁石は、ゴルフ手袋の手の甲側に取り付けられるため、安全面から形状に鋭角な角が無い方が望ましいからである。また、第２の磁石は、ゴルフ手袋の手の甲側の違和感がないように、薄く小さいものが好ましい。具体的には、１〜２ｍｍ程度の厚さであり、円形の場合は直径が８〜１５ｍｍ程度のものである。
【００１１】
また、ゴルフ手袋の手の甲側の面ファスナーに取り付け可能な面ファスナーについて説明する。ゴルフ手袋の手の甲側には、手首を締め付ける帯体を留める面ファスナーが設けられている。面ファスナーは、フック面とループ面が存在し、通常、ゴルフ手袋の手の甲側にフック面が設けられており、帯体側にループ面が設けられている。上述のゴルフ手袋の手の甲側の面ファスナーとは、フック面の面ファスナーもしくはループ面の面ファスナーを意味する。
ゴルフ手袋の手の甲側にフック面が設けられており、帯体側にループ面が設けられているとして説明する。
【００１２】
平板状の第２の磁石の片面に面ファスナーを取り付ける場合、取り付けた面ファスナーがフック面ならば、ゴルフ手袋の帯体側のループ面と着脱可能な状態となる。この場合は、第２の磁石は、片面に取り付けた面ファスナーによって、ゴルフ手袋の帯体側のループ面に取り付けられる。
一方、平板状の第２の磁石の片面に面ファスナーを取り付ける場合で、取り付けた面ファスナーがループ面ならば、ゴルフ手袋の手の甲側のフック面と着脱可能な状態となる。この場合は、第２の磁石は、片面に取り付けた面ファスナーによって、ゴルフ手袋の手の甲側のフック面に取り付けられる。
第２の磁石は、ゴルフ手袋の帯体側もしくは手の甲側に脱着可能に取り付けることができるため、ゴルフ手袋を洗濯機で洗う際には取り外し可能で、またゴルフ手袋を交換する際は、第２の磁石を簡単に取り付け直しができる。
【００１３】
第２の磁石の他の面は面ファスナーが設けられておらず、鏡面加工のままである。ゴルフ手袋の帯体を手の甲側に押し付けると、面ファスナーの作用で貼り付けることができるように、すなわち、ゴルフ手袋の面ファスナーの機能を損なわないように、第２の磁石の大きさは面ファスナーの面積の１／８以下が好ましい。また、通常、ゴルフ手袋の面ファスナーの形状は長方形であるため、第２の磁石の形状としても面ファスナーの短辺の長さの１／２以下が好ましい。
【００１４】
また、第１の磁石と第２の磁石としては、ネオジム磁石であることが好ましい。ネオジム磁石は、非常に強力な自磁力を有し、かつ、機械的強度にも優れ、欠けたり、割れたりすることも少ないものである。同じ希土類磁石のサマリウムコバルト磁石よりも磁力は強力であるにもかかわらず、コスト的に安価である。用途に合わせた形状の製作も可能であり、また、磁気特性が高いので、小さいサイズでも磁力の強い磁石が製作可能である。さらに、ネオジム磁石は、保磁力が他の磁石の中でも大きく、減磁が最も少ない磁石である。
なお、ネオジム磁石には、耐熱温度が低いという欠点があるが、ゴルフ手袋を使用する環境では特に問題は生じない。
【００１５】
第１の磁石は、挟持部材によって、ポケット或いはベルトに取り付けられ、第２の磁石がゴルフ手袋の手の甲側に面ファスナーにより取り付けられる。第１の磁石と第２の磁石が引き合うことにより、ゴルフ手袋を被服に設けられたポケット或いはベルトに保持できるためには、第１の磁石と第２の磁石の向かい合う面の磁極は相互に異なるように配置する必要がある。
そのために、挟持部材に固定される第１の磁石の外側（表側）を向く面の磁極と、ゴルフ手袋に取り付けられる第２の磁石のゴルフ手袋の手のひら側を向く面の磁極とは、相互に異なるものにする。
【００１６】
また、第１の磁石は、挟持部材によって被服に設けられたポケット或いはベルトに着脱自在に取り付けされるので、この第１の磁石の外側（表側）には、シルク印刷を含む装飾が施された、或いは、広告表示片が設けられたことがより好ましい。装飾や広告表示片がギャラリーから見やすくなり、また、テレビ中継などでゴルファーの後ろ姿が放映されることで、イメージアップや広告宣伝の効果が高めることができるからである。
【００１７】
また、上記の挟持部材としては、２枚のプレートをつがいで留めたものであり、一方のプレートに第１の磁石が固定されたものでもよい。プレートの大きさを活用して、プレートの一方にシルク印刷を含む装飾を施したり、或いは、広告表示片を設けたりすることにより、装飾や広告表示片がギャラリーからより見やすくなり、イメージアップや広告宣伝の効果を更に高めることができる。
【００１８】
次に、本発明の第２の観点のゴルフ手袋保持具について説明する。
本発明の第２の観点のゴルフ手袋保持具は、被服に設けられたポケット或いはベルトに着脱自在に取り付け可能な挟持部材と、該挟持部材に固定された平板状の第１の磁石と、ゴルフ手袋の手の甲側の面ファスナーに取り付け可能な面ファスナーが両面に取り付けられた平板状の第２の磁石と、から構成され、前記第１の磁石がポケット或いはベルトに取り付けられ、前記第２の磁石がゴルフ手袋の手の甲側に面ファスナーにより取り付けられ、前記第１の磁石と前記第２の磁石が引き合うことにより、ゴルフ手袋を被服に設けられたポケット或いはベルトに保持できることを特徴とする。
【００１９】
第２の観点のゴルフ手袋保持具は、第１の観点のゴルフ手袋保持具と異なり、第２の磁石の両面に面ファスナーが取り付けられる。第２の磁石の両面に取り付ける面ファスナーは、フック面とループ面で異なるものであり、それぞれ第片面ずつ第２の磁石に取り付ける。このように、第２の磁石の両面に面ファスナーを取り付けることにより、ゴルフ手袋の手の甲側のフック面にも、ゴルフ手袋の帯体のループ面にも、第２の磁石を取り付けることができる。
この場合も第１の観点のゴルフ手袋保持具と同様に、挟持部材に固定される第１の磁石の外側（表側）を向く面の磁極と、ゴルフ手袋に取り付けられる第２の磁石のゴルフ手袋の手のひら側を向く面の磁極とは、相互に異なるものにする。
【００２０】
次に、本発明の第３の観点のゴルフ手袋保持具について説明する。
本発明の第３の観点のゴルフ手袋保持具は、被服に設けられたポケット或いはベルトに着脱自在に取り付け可能な挟持部材と、該挟持部材に固定された平板状の第１の磁石と、ゴルフ手袋の手の甲側の面ファスナーと手袋本体との間隙に挿し込み可能な少なくとも１本の挿し込み部を有する平板状の第２の磁石と、から構成され、前記第１の磁石がポケット或いはベルトに取り付けられ、前記第２の磁石がゴルフ手袋の手の甲側に取り付けられ、前記第１の磁石と前記第２の磁石が引き合うことにより、ゴルフ手袋を被服に設けられたポケット或いはベルトに保持できることを特徴とする。
【００２１】
ここで、ゴルフ手袋の手の甲側の面ファスナーと手袋本体との間隙に挿し込み可能な少なくとも１本の挿し込み部とは、１本もしくは複数の径の小さい丸ピンもしくは平ピンであり、ゴルフ手袋の手の甲側の面ファスナーもしくは帯体の面ファスナーと手袋本体との間に挿し込めるものである。
第２の磁石は、挿し込み部に固着されている。ここで、挿し込み部は、挿し込み側ではない端部がＵ字状に折り曲げられ、折り曲げられた部位に第２の磁石が固着されるのが好ましい。これにより、ゴルフ手袋の手の甲側の面ファスナーと手袋本体との間隙に、挿し込み部を挿し込んだ場合でも、第２の磁石の部分のみをゴルフ手袋の手の甲側の面ファスナー上に露出させることができ、挟持部材の第１の磁石との引き合う磁力の低下を防ぐことができる。
【００２２】
この挿し込み部を有する第２の磁石は、ゴルフ手袋の手の甲側と脱着自在に取り付けることにより、グリーンフォークとしても活用可能である。ゴルフでは、エチケットとしてグリーン上のゴルフボールのピッチマークを直す習慣が
あるが、第２磁石の挿し込み部を利用してピッチマークを直すことにより、グリーンフォークとして活用できるのである。
【００２３】
次に、本発明の第４の観点のゴルフ手袋保持具について説明する。
本発明の第４の観点のゴルフ手袋保持具は、被服に設けられたポケット或いはベルトに着脱自在に取り付け可能な挟持部材と、該挟持部材に固定された平板状の第１の磁石と、ゴルフ手袋の手の甲側の面ファスナーの裏面に予め埋め込まれた平板状の第２の磁石と、から構成され、前記第１の磁石がポケット或いはベルトに取り付けられ、前記第１の磁石と前記第２の磁石が引き合うことにより、ゴルフ手袋を被服に設けられたポケット或いはベルトに保持できることを特徴とする。
【００２４】
ここで、ゴルフ手袋の手の甲側の面ファスナーの裏面に予め埋め込まれるとは、ゴルフ手袋本体もしくは帯体に面ファスナーを取付け加工する際に、面ファスナーの裏面に接着剤などで固着されることである。上述の本発明の第１の観点〜第３の観点のゴルフ手袋保持具と異なり、第２の磁石を自由に脱着することはできないが、磁石埋め込み型のゴルフ手袋として市場に投入できる。
ゴルフボールのグリーンマーカーには、磁石付のものも販売されており、将来、磁石埋め込み型のゴルフ手袋の利用が期待される。
【発明の効果】
【００２５】
本発明によれば、平板状の第１の磁石の表面や、第１の磁石それ自体の形状や、プレート型の挟持部材の表面や、挟持部材それ自体の形状を用いて、新たな広告表示片を設けるスペースを確保したり、イメージアップの装飾体を設けたりすることができるといった効果を有する。
また、ゴルフ手袋の手の甲側に取り付ける第２の磁石の片面又は両面に面ファスナーを設けることにより、非常に簡便にゴルフ手袋に磁石を脱着自在に取り付けることができるといった効果がある。また、挿し込み部を有する第２の磁石は、グリーンフォークとして代用できるといった効果もある。
【図面の簡単な説明】
【００２６】
【図１】ズボンのポケットに装着するゴルフ手袋保持具の外観図
【図２】ズボンのポケットに装着するゴルフ手袋保持具の構成図
【図３】ゴルフ手袋側に装着するゴルフ手袋保持具の部品の説明図１
【図４】ゴルフ手袋保持具の使用説明図
【図５】ゴルフ手袋側に装着するゴルフ手袋保持具の部品の説明図２
【図６】他の実施例のゴルフ手袋保持具の説明図
【図７】つがいで構成されたゴルフ手袋保持具の説明図
【図８】ゴルフ手袋側に装着するゴルフ手袋保持具の部品の説明図３
【発明を実施するための最良の形態】
【００２７】
以下、本発明の実施形態について、図面を参照しながら詳細に説明していく。なお、本発明の範囲は、以下の実施例や図示例に限定されるものではなく、幾多の変更及び変形が可能である。
【実施例１】
【００２８】
図１〜４を用いて、実施例１のゴルフ手袋保持具を説明する。図１は、ズボンのポケットに装着するゴルフ手袋保持具の外観図を示している。
図１では、被服に設けられたポケット或いはベルトに着脱自在に取り付け可能な挟持部材（３，４，５）と、挟持部材に固定された平板状の第１の磁石２と、からなるゴルフ手袋保持具１である。また図２において、（１）は中央断面図であり、（２）は正面図、（３）は背面図である。
図１や図２に示されるように、挟持部材は、細長い板状のステンレスをＵ字状５に折り曲げたもので、円形平板状の第１の磁石２は、短い方４に固定されている。長い方３をズボンの後ろポケットあるいはサイドポケットに挿し込んで取り付ける。ズボンのポケットに取り付けた際は、図２（２）のような形状が外部から観察できるようになる。
【００２９】
第１の磁石の形状は、実施例１では円形であるが、その他の形状、例えば、楕円形、６角形などの多角形、星形、企業や商品のロゴ形状（スポンサー等の会社のハウスマークや商品のペットマーク）など変形が可能である。例えば、スポンサー等の会社のハウスマークや商品のペットマークなどロゴの形状でもよい。あるいは、蝶々など動物や花など植物をモチーフとした形状でもよい。
また、図１のような形状であると、挟持部材をズボンやスカートのサイドポケットに取り付ける場合に、できるだけ後ろ側に挿入して取り付けることで、第１の磁石の位置が、身体の側面もしくは後ろ側になるので、ゴルフ手袋が保持しやすく、かつ、第１の磁石が外部から見やすくなる。
【００３０】
図３は、ゴルフ手袋側に装着するゴルフ手袋保持具の部品の説明図であり、具体的には、ゴルフ手袋の手の甲側の面ファスナーに取り付け可能な面ファスナーが片面に取り付けられた円形平板状の第２の磁石１０を示している。
図３（１）に示すように、第２の磁石１０は、Ａ面側１０ａとＢ面側１０ｂがあり、面ファスナー１２がＡ面側１０ａに取り付けられる。図３（２）は、面ファスナー１２がＡ面側１０ａに取り付けられた様子を示している。
図３（３）は、面ファスナー１２が取り付けられた第２の磁石１０が、ゴルフ手袋２０の手の甲側の面ファスナー２２に取り付けられる様子を示している。  ゴルフ手袋２０は、手の甲側にフック面の面ファスナー２４が設けられており、帯体側にループ面の面ファスナー２２が設けられているとする。実施例１の場合、第２の磁石１０のＡ面側１０ａにフック面の面ファスナー１２を取り付ける。これにより、第２の磁石１０は、ゴルフ手袋２０の帯体側のループ面の面ファスナー２２と着脱可能な状態となる。第２の磁石は、Ａ面側１０ａ片面に取り付けたフック面の面ファスナー１２によって、ゴルフ手袋の帯体側のループ面の面ファスナー２２に取り付けることができる（図３（４）参照）。
第２の磁石１０は、ゴルフ手袋の帯体側に脱着可能に取り付けることができるため、ゴルフ手袋を洗濯機で洗う際には取り外し可能で、またゴルフ手袋を交換する際は、第２の磁石を簡単に取り付け直しができる。
【００３１】
図４に示すように、第１の磁石２がズボンの後ろポケット８に取り付けられ、第２の磁石１０がゴルフ手袋２０の手の甲側に帯体の面ファスナー２２により取り付けられ、第１の磁石２と第２の磁石１０が引き合うことにより（図中の矢印のように引き合う）、ゴルフ手袋２０を被服に設けられたポケット８に保持できるのである。ゴルフ手袋自体ある程度の厚みがあることから、第１の磁石と第２の磁石の磁力は強いものが好ましく、本実施例ではネオジム磁石を使用した。ネオジム磁石によれば直径１５ｍｍ程度のもので、ゴルフ手袋の手の甲側が見えるように、すなわち、手袋の手のひら側をポケット８に近づけても、十分引き付け合い、脱落することがないことを確認できている。
ゴルフ手袋を、ゴルフ手袋の手の甲側が見えるようにゴルフ保持具に取り付けるためには、第２の磁石１０のＡ面側１０ａが第１の磁石２と表面と引き合う必要がある。この点で磁石の磁性配置に留意して設計する必要がある。
ゴルフ手袋を、ゴルフ手袋の手の甲側が見えるようにゴルフ保持具に取り付けられることにより、ゴルフ手袋のメーカーロゴ２６がギャラリーから見やすく、また、テレビ中継などでゴルファーの姿が放映されることでゴルフ手袋の広告宣伝としての効果が期待できる。
【００３２】
（その他の実施例）
（１）図５は、ゴルフ手袋側に装着するゴルフ手袋保持具の部品の他の実施例を示している。実施例１では、第２の磁石１０の片面のＡ面側１０ａに面ファスナー１２を取り付けたが、図５のように、両面のＡ面側１０ａとＢ面側１０ｂに面ファスナー（１２，１４）を取り付けてもよい。この場合、Ａ面側１０ａとＢ面側１０ｂの面ファスナーはそれぞれ異なる面（フック面あるいはループ面）とする。
（２）実施例１において挟持部材は、細長い板状のステンレスをＵ字状に折り曲げたもので、円形平板状の第１の磁石２は、短い方４に固定されていたが、これに限定されるものではない。例えば、図６のように、同じ細長い板状のステンレスをＵ字状に折り曲げたものでもよく、また、円形平板状の第１の磁石２ａを折り曲げ部５ａから離してもよい。
（３）実施例１において挟持部材は、細長い板状のステンレスをＵ字状に折り曲げたものであったが、図７のように、２枚の金属プレート（４２，４（４）をつがい４６でつなげた構成でもよい。プレート表面にスポンサーロゴ４８を設けることで、ギャラリーから見やすく、また、テレビ中継などでゴルファーの姿が放映されることでゴルフ手袋の広告宣伝としての効果が期待できる。
（５）図８は、２つの挿し込み部（３４，３６）を有する第２の磁石３０を示している。２つの挿し込み部（３４，３６）は、挿し込み側ではない端部がＵ字状に折り曲げられ（３８）、折り曲げられた部位に第２の磁石３２が固着されたものである。
これをゴルフ手袋の手の甲側の面ファスナー２４と手袋本体２０との間隙に挿し込み使用する。
【産業上の利用可能性】
【００３３】
本発明は、スポンサー等のロゴが表示可能な広告表示片のスペース確保に有用である。
【符号の説明】
【００３４】
１，４０  ゴルフ手袋保持具
２，２ａ  第１の磁石
１０，３２  第２の磁石（ゴルフ手袋保持具の部品）
２０  ゴルフ手袋
１２，１４，２２，２４  面ファスナー
３０  挿し込み部を有する第２の磁石
３４，３６  挿し込み部
【図１】
2013052000.tif 000003
【図２】
2013052000.tif 000004
【図３】
2013052000.tif 000005
【図４】
2013052000.tif 000006
【図５】
2013052000.tif 000007
【図６】
2013052000.tif 000008
【図７】
2013052000.tif 000009
【図８】
2013052000.tif 000010